(57)【要約】【課題】香料が含浸可能な焼結金属部材を収容する装身具及びこの装身具における芳香放出方法において、香料の乾燥を遅らせるとともに、装着者の衣服を汚すことなく香料の気化を促進させることができる装身具及び装身具における芳香放出方法を提供する。【解決手段】本発明に係る装身具にあっては、本体１の空間１０と、本体１に被せられたカバー２とにより形成された収容部に、香料が含浸可能な焼結金属部材４が収容される。この収容部は、焼結金属部材４が空間的位置を自由に変えることができる程度の空間的な余裕があるように形状及び寸法が形成されている。【選択図】図２
2011217791.tif 000002
【特許請求の範囲】
【請求項１】
所定の形状及び寸法からなる、香料が含浸可能な焼結金属部材と、
該焼結金属部材を収容する収容部と、
該収容部に穿設された、前記収容部内に充満する前記焼結金属部材の芳香を含む空気を外部に放出するための通気孔と
を備え、
前記収容部は、収容された前記焼結金属部材が運動可能となる形状及び寸法となるように形成されていることを特徴とする装身具。
【請求項２】
前記収容部は、収容された前記焼結金属部材の運動を一定距離の往復運動に規制する形状及び寸法となるように形成され、
前記通気孔は、往復運動する前記焼結金属部材と前記収容部の内面とが接近する位置の近傍に開口するように穿設されていることを特徴とする請求項１に記載の装身具。
【請求項３】
前記収容部の外部から押し込み操作されることにより、収容された前記焼結金属部材を押動させる操作手段と、
該操作手段により押動された前記焼結金属部材を押し戻す方向に付勢する付勢手段と
を更に備えることを特徴とする請求項２に記載の装身具。
【請求項４】
所定の形状及び寸法からなる、香料が含浸可能な焼結金属部材と、
該焼結金属部材を収容する収容部と、
該収容部に穿設された、前記収容部内に充満する前記焼結金属部材の芳香を含む空気を外部に放出するための通気孔と
を備える装身具において、
前記収容部を、収容された前記焼結金属部材が運動可能となる形状及び寸法となるように形成することを特徴とする装身具における芳香放出方法。
【発明の詳細な説明】
【技術分野】
【０００１】
本発明は、香料が含浸可能な焼結金属部材を収容する装身具及びこの装身具における芳香放出方法に関するものであり、特に、この焼結金属部材を運動可能となるように収容する装身具及びこの装身具における芳香放出方法に関する。
【背景技術】
【０００２】
従来、カフリンクス、ラペルピン、ネクタイピン、イヤリング、キーホルダ、ネックレス、根付及びブローチなどの装身具は、装着者を美しく装うのみならず、芳香性が付与されることにより装着者を心地よくする機能を備えるものが提案されている（例えば、特許文献１及び特許文献２）。
【先行技術文献】
【特許文献】
【０００３】
【特許文献１】実開平５−１５８１２
【特許文献２】特開２００８−２４００９１
【発明の概要】
【発明が解決しようとする課題】
【０００４】
しかしながら、特許文献１に記載された装身具にあっては、液状の香料を収容する容器を備え、容器内で気化した芳香が、蓋に設けられた小孔から放出されるようにしてある。そのため、香料の気化を促すべく、装身具が激しく揺らされた場合、容器内の香料が小孔から漏れ出て装着者の衣服などを汚すおそれがある。
【０００５】
また、特許文献２に記載された装身具にあっては、本体に取り付けられた焼結金属部材に液状の香料をしみ込ませるようにしてある。そのため、装身具が激しく揺らされた場合であっても、香料が漏れ出ることなく、装着者の衣服を汚すことはない。しかし、この装身具は、焼結金属部材が露出状態で本体に取り付けられているため、焼結金属部材内の香料が乾燥しやすい。
【０００６】
本発明はかかる事情を鑑みてなされたものであり、所定の形状及び寸法からなる、香料が含浸可能な焼結金属部材を収容するための収容部を備え、この焼結金属部材が収容部内で運動可能となるように工夫されていることにより、香料の乾燥を遅らせるとともに、装着者の衣服を汚すことなく香料の気化を促進させることができる装身具及び装身具における芳香放出方法を提供することを目的とする。
【課題を解決するための手段】
【０００７】
本発明に係る装身具は、所定の形状及び寸法からなる、香料が含浸可能な焼結金属部材と、該焼結金属部材を収容する収容部と、該収容部に穿設された、前記収容部内に充満する前記焼結金属部材の芳香を含む空気を外部に放出するための通気孔とを備え、前記収容部は、収容された前記焼結金属部材が運動可能となる形状及び寸法となるように形成されていることを特徴とする。
また、本発明に係る芳香放出方法は、所定の形状及び寸法からなる、香料が含浸可能な焼結金属部材と、該焼結金属部材を収容する収容部と、該収容部に穿設された、前記収容部内に充満する前記焼結金属部材の芳香を含む空気を外部に放出するための通気孔とを備える装身具において、前記収容部を、収容された前記焼結金属部材が運動可能となる形状及び寸法となるように形成することを特徴とする。
【０００８】
本発明に係る装身具及び装身具における芳香放出方法にあっては、香料を含浸している焼結金属部材を収容することにより、焼結金属部材と外気との接触を防ぎ、焼結金属部材内の香料の乾燥を遅らせる。また、焼結金属部材が収容部内で運動可能となるように、収容部の形状及び寸法が形成されていることにより、装身具の振動に応じて焼結金属部材が収容部内で動き回り、収容部内の空気を攪拌して焼結金属部材内の香料の気化を促進させる。
【０００９】
また、本発明に係る装身具は、前記収容部は、収容された前記焼結金属部材の運動を一定距離の往復運動に規制する形状及び寸法となるように形成され、前記通気孔は、往復運動する前記焼結金属部材と前記収容部の内面とが接近する位置の近傍に開口するように穿設されている構成としてもよい。
【００１０】
本発明に係る装身具にあっては、焼結金属部材が収容部内で一定距離の往復運動となるように、収容部の形状及び寸法が形成されていることにより、装身具の振動に応じて焼結金属部材が収容部内で往復運動し、収容部内の空気を効率良く攪拌して焼結金属部材内の香料の気化を促進させる。また、通気孔を所定の位置に開口することにより、焼結金属部材と収容部の内面とが接近又は衝突する勢いによって加圧された芳香を含む空気を通気孔から勢い良く放出する。
【００１１】
また、本発明に係る装身具は、前記収容部の外部から押し込み操作されることにより、収容された前記焼結金属部材を押動させる操作手段と、該操作手段により押動された前記焼結金属部材を押し戻す方向に付勢する付勢手段とを更に備える構成としてもよい。
【００１２】
本発明に係る装身具にあっては、外部からの押し込み操作によって焼結金属部材を押動させるとともに、押動された焼結金属部材を押し戻る方向に付勢することにより、装着者の任意によって焼結金属部材を往復運動させ、焼結金属部材内の香料の気化を促進させる。
【発明の効果】
【００１３】
本発明は、芳香を放出する焼結金属部材内の香料の乾燥を遅らせることができる。また、本発明は、例えば、装身具本体を振動させたり、外部からの押し込み操作をすることによって、本体内に収容する焼結金属部材内の香料の気化を促し、香料から出る芳香の放出量を調整することができる。
【図面の簡単な説明】
【００１４】
【図１】本発明に係る装身具の一例を示す斜視図であって、（ａ）は装身具がカフリンクスである場合の斜視図、（ｂ）は装身具がネクタイピンである場合の斜視図である。
【図２】本発明に係る装身具の主要部分を示す説明図であって、（ａ）はこの部分を分解した状態で斜め前側から斜視した説明図、（ｂ）はこの部分を正面視左右方向に切断した説明図である。
【図３】図２とは異なる主要部分を示す説明図であって、（ａ）はこの部分を分解した状態で斜め前側から斜視した説明図、（ｂ）はこの部分を正面視左右方向に切断した説明図である。
【図４】図２及び図３とは異なる主要部分を示す説明図であって、（ａ）はこの部分を分解した状態で斜め前側から斜視した説明図、（ｂ）はこの部分を正面視左右方向に切断した説明図である。
【図５】図２乃至図４とは異なる主要部分を示す説明図であって、（ａ）はこの部分を分解した状態で斜視した説明図、（ｂ）はこの部分を長手方向に切断した説明図である。
【図６】本発明に係る装身具が備える、焼結金属部材と収容部との関係を示す説明図である。
【発明を実施するための形態】
【００１５】
実施の形態１．
本発明に係る装身具及び装身具における芳香放出方法について、実施の形態を示す図に基づいて以下説明する。本発明に係る装身具は、カフリンクス、ラペルピン、ネクタイピン、イヤリング、キーホルダ、ネックレス、根付及びブローチなど数多く該当する。本実施の形態では、カフリンクス及びネクタイピンを一例として説明し、これらの主要部分について、各実施例に分けて詳述する。
【００１６】
図１（ａ）に示すように、本発明に係るカフリンクスは、本体１と、本体１に被せられたカバー２と、本体１を支える支持桿５と、支持棹５に取り付けられた留め棒７とを備える。支持棹５は、本体１との取付部分（基端部）から先端に向かって二股に分かれ、二股の先端部に留め棒７を挟んでいる。留め棒７は、ピン５３により回転運動可能に支持されている。
【００１７】
また、図１（ｂ）に示すように、本発明に係るネクタイピンは、本体１と、本体１に被せられたカバー２と、本体１を支える支持棹５と、支持棹５に取り付けられたクリップ８とを備える。支持桿５は、基端部から先端に向かって二股に分かれ、二股の先端部がクリップ８に溶着されている。クリップ８は、金属製の本体８０が略レ字状に曲げられ、屈曲部８１の先端が二股に分かれて挟み桿８２を挟んでいる。挟み桿８２は、基端側が、ピン８４により回転運動可能に支持され、先端側が、ねじりコイルばね８３により本体８０に向かって弾性付勢されている。
【００１８】
（実施例１）
図２に示すように、本体１は、略円筒形をなし、内部に形成された空間１０と、空間１０を形成する底部１１と、空気を放出するための通気孔１２と、支持棹５をねじ止めするための雌ねじ孔１３と、空間１０を形成する内面１４と、内面１４の裏面となる外面１５と、カバー２を固定するための雄ねじ溝１６とを備える。底部１１は、鏡面加工が施され、略円形をなし、円周の縁から周壁が垂直に立ち上がり、上面が開口した空間１０を形成している。通気孔１２は、底面１１の周壁寄りの４箇所に設けられている。雌ねじ孔１３は、底面１１の中心部に設けられている。周壁の内面１４は、鏡面加工が施されている。周壁の外面１５は、上端側に雄ねじ溝１６が刻み設けられている。
【００１９】
カバー２は、本体１の外径より僅かに大径の円形板と、その円周の縁から垂れ下がる筒部とからなり、美観を生じさせる装飾板２０と、本体１に固定するための雌ねじ溝２１と、空気を放出するための通気孔２２とを備える。装飾板２０は、様々な模様及び文字などが刻まれ、円形板の上面に取り付けられる。雌ねじ溝２１は、筒部の内側に刻み設けられている。通気孔２２は、円形板の上面に複数設けられている。
【００２０】
支持棹５は、本体１にねじ止めするためテーパ孔５０と皿ねじ５１とを備える。テーパ孔５０は、支持棹５の基端部に設けられ、皿ねじ５１の頭部がぴたりと収まるテーパ状をなしている。
【００２１】
装身具は、本体１とカバー２との間に気密性を高めるためのシールワッシャ３を備える。シールワッシャ３は、ゴム製又は金属製の環状をなし、通気孔２２を塞ぐための突起片３０を備える。シールワッシャ３は、カバー２の筒部の内側に収まる寸法となるように形成されている。突起片３０は、環の内側から中心部に向かって複数突き出している。
【００２２】
また、装身具は、焼結金属部材４を備える（図２（ｂ）参照）。焼結金属部材４は、金属の粉末が所要の形状に圧縮され、その圧粉体が高温で焼き固められた合金部材であり、無数の空孔が形成されている。焼結金属部材４は、空孔に香料を浸み含ませ、香料の芳香を長期間保つことができる。香料は、液状であり、天然香料又は合成香料のいずれであってもよい。なお、焼結金属部材４と、これを収容するための収容部Ｓとの関係については、後述にて説明する。
【００２３】
このように、装身具は、複数の部材により構成されている。そこで、これらの部材を用いた装身具の組み立てについて以下説明する。本体１は、底面１１の裏面に支持棹５が取り付けられ、テーパ孔５０に挿し込まれた皿ねじ５１が雌ねじ孔１３にねじ込まれる。このとき、本体１は、通気孔１２が正面視前後左右方向となる位置にあり、支持棹５は、正面視で二股となる位置にある。次に、本体１は、空間１０に焼結金属部材４が収められ、周壁の上端面にシールワッシャ３が正面視前後方向に突起片３０が向くように取り付けられる。最後に、本体１は、カバー２が上方から被せられ、雄ねじ溝１６にカバー２の雌ねじ溝２１がねじ込まれる。
【００２４】
このように組み立てられた装身具は、本体１の空間１０とカバー２とにより収容部Ｓが形成される。収容部Ｓの形状及び寸法は、収容部Ｓに収容された焼結金属部材４がその空間的位置を自由に変えることができる程度の空間的な余裕（遊び）があるように形成されている（図６（ａ）参照）。具体的には、収容部Ｓは、少なくとも、幅寸法Ｗが焼結金属部材４の幅寸法Ａより大きく（Ｗ＞Ａ）、且つ、高さ寸法Ｈが焼結金属部材４の高さ寸法Ｂより大きく（Ｈ＞Ｂ）なるように、形成されている。また、収容部Ｓの形状は、上述の寸法条件を満たすように形成されている。例えば、焼結金属部材４の形状が円形板又は球である場合、収容部Ｓの形状は、焼結金属部材４の運動容易性を鑑み、略円筒形となるように形成されていることが好ましい。
【００２５】
このような状態となっている装身具は、以下のように使用される。カフリンクスは、支持棹５の軸方向に向けられた留め棒７がシャツの袖の両端に開いているボタンホールに挿し込まれ、ボタンホールから突き出た留め棒７が軸方向と直交する方向に向けられることにより、固定される。また、ネクタイピンは、クリップ８の本体８０と挟み桿８２の先端部とでネクタイを表裏から挟み込むことにより、固定される。固定されたカフリンクス（又はネクタイピン）は、装着者の腕（又は胴体）の動きに応じて振り動かされる。焼結金属部材４は、カフリンクス（又はネクタイピン）の振動に応じて収容部Ｓ内で激しく動き回り、収容部Ｓ内の空気を攪拌し、自らに浸み含まれた香料の気化を促す。また、焼結金属部材４は、内面１４に接近又は衝突する勢いによって、これらの間に存在する芳香を含む空気を加圧する。加圧された空気は、近くで開口する通気孔１２及び通気孔２２から外部へ勢い良く放出される。
【００２６】
また、カバー２の回転運動によって、通気孔２２が正面視前後方向に位置する場合、通気孔２２は、シールワッシャ３の突起片３０により塞がれる。その結果、収容部Ｓ内の芳香は、放出量が抑えられる。これに対して、通気孔２２が正面視前後方向以外に位置する場合、通気孔２２は、全開となる。その結果、収容部Ｓ内の芳香は、多量に放出される。また、カバー２を外すことにより、収容部Ｓに収容される焼結金属部材４に香料を再含浸させることができる。
【００２７】
（実施例２）
本発明に係る装身具は、上述した実施例１に限定されるものでなく、焼結金属部材４を往復運動に規制するための構成を備えるものであってもよい。以下、実施例１と異なる点について説明する。
【００２８】
本体１の底部１１は、正方形をなし、各辺から周壁が垂直に立ち上がり、上面が開口した空間１０を形成している。通気孔１２は、底面１１の周壁の立ち上がり位置に設けられている。
【００２９】
また、組み立てられた本体１と支持棹５との位置について、本体１は、通気孔１２が正面視左右方向となる位置にあるとき、支持棹５は、正面視で二股となる位置にある。
【００３０】
また、収容部Ｓの形状及び寸法は、焼結金属部材４の運動を往復運動に規制するように形成されている（図６（ｂ）参照）。具体的には、収容部Ｓは、（正面視左右方向の）幅寸法Ｗ１が燒結金属部材４の（正面視左右方向の）短手幅寸法Ｃの２倍（Ｗ１＝Ｃ×２）となるように形成されている。また、収容部Ｓは、（正面視前後方向の）幅寸法Ｗ２が燒結金属部材４の（正面視前後方向の）長手幅寸法Ａより僅かに大きく、且つ、燒結金属部材４の長手方向に切断した断面の対角線の長さＤより小さく（Ｗ２＜Ｄ）なるように、形成されている。また、収容部Ｓは、高さ寸法Ｈが燒結金属部材４の高さ寸法Ｂより大きく（Ｈ＞Ｂ）なるように形成されている。また、収容部Ｓの形状は、上述の寸法条件を満たすように形成されている。例えば、焼結金属部材４の形状が直方体である場合、収容部Ｓの形状は、直方体となるように形成されていることが好ましい。
【００３１】
燒結金属部材４は、カフリンクス（又はネクタイピン）の振動に応じて収容部Ｓ内を正面視左右方向に往復運動する。具体的には、燒結金属部材４は、収容部Ｓの（正面視左右方向の）幅寸法Ｗ１の１／２の距離を往復運動する。焼結金属部材４は、収容部Ｓ内の空気を攪拌し、自らに浸み含まれた香料の気化を促す。また、燒結金属部材４は、短手方向（正面視左右方向）にある内面１４に接近又は衝突する勢いによって、これらの間に存在する芳香を含む空気を加圧する。加圧された空気は、近くで開口する通気孔１２から外部に勢い良く放出される。なお、実施例２において、焼結金属部材４が収容部Ｓの内面１４に接近する位置は、周壁が立ち上がる位置に該当する。
【００３２】
（実施例３）
本発明に係る装身具は、上述した実施例１及び実施例２に限定されるものでなく、操作手段により焼結金属部材４を強制的に運動させるための構成を備えるものであってもよい。以下、上述した実施例と異なる点について説明する。
【００３３】
本体１の底部１１には、中央付近に２つの貫通孔１７が並べ設けられている。また、本実施例に係る装身具は、焼結金属部材４を押し動かすための押動板５２と、焼結金属部材４を押し戻すためのコイルばね６とを更に備える。
【００３４】
支持棹５は、基端部の上面に押動板５２が接着される。本体１は、支持棹５の二股の先端部が上方から貫通孔１７に挿し込まれる。支持棹５は、押動板５２を含む基端部が空間１０に留まり、二股の先端部が底面１１の裏面から下方に臨む。次に、本体１は、空間１０に焼結金属部材４が収められ、周壁の上端面にシールワッシャ３が正面視前後方向に突起片３０が向くように取り付けられる。次に、カバー２は、上面の裏面にコイルばね６が接着剤Ｃによって接着される。最後に、本体１は、カバー２が上方から被せられ、雄ねじ溝１６にカバー２の雌ねじ溝２１がねじ込まれる。
【００３５】
収容部Ｓの形状及び寸法は、押し動かす方向に焼結金属部材４を往復運動させるように形成されている（図６（ａ）参照）。具体的には、収容部Ｓは、幅寸法Ｗが焼結金属部材４の幅寸法Ａより僅かに大きく、且つ、焼結金属部材４を径方向に切断した断面の対角線の長さＤより小さく（Ｗ＜Ｄ）なるように形成されている。また、収容部Ｓは、高さ寸法Ｈが焼結金属部材４の高さ寸法Ｂより大きく（Ｈ＞Ｂ）なるように形成されている。また、収容部Ｓの形状については、上述の寸法条件を満たすように形成されている。
【００３６】
支持棹５の押動板５２は、装着者の操作によって本体１が押し下げられることにより、焼結金属部材４を相対的に押し上がる。焼結金属部材４は、押し上げられることにより、上方にあるコイルばね６を圧縮変形させる。コイルばね６は、弾性エネルギを蓄勢し、本体１の押し下げがなくなることにより、弾性エネルギによって焼結金属部材４を押し戻す。焼結金属部材４は、この操作が繰り返されることにより、上下方向の往復運動を行う。焼結金属部材４は、収容部Ｓ内の空気を攪拌し、自らに浸み含まれた香料の気化を促す。また、焼結金属部材４は、上下方向にある底面１１及びカバー２に接近又は接触する勢いによって、これらの間に存在する芳香を含む空気を加圧する。加圧された空気は、近くで開口する通気孔１２及び通気孔２２から外部に勢い良く放出される。
【００３７】
実施の形態２．
実施の形態１に係るネクタイピンとは異なる構成を備えるネクタイピンについて以下説明する。図５に示すように、ネクタイピンは、クリップ８と、クリップ８内に収容された焼結金属部材４とを備える。クリップ８は、本体８０の先端部が開口し、内部に空間１０が形成されている。クリップ８は、上面に通気孔８５が設けられている。また、装身具は、焼結金属部材４を押し動かすための押込部材５４と、焼結金属部材４を押し戻すためのコイルばね６とを更に備える。押込部材５４は、可撓性のある樹脂製であり、先端部に引っ掛け爪５４０が形成されている。
【００３８】
クリップ８は、空間１０の奥壁にコイルばね６が接着材Ｃによって接着され、この状態で焼結金属部材４が空間１０に収められる。最後に、クリップ８は、空間１０に押込部材５４が押し込まれる。
【００３９】
このように組み立てられた装身具は、クリップ８の空間１０と押込部材５４とにより収容部Ｓが形成される。収容部Ｓの形状及び寸法は、押し込む方向（前後方向）に焼結金属部材４を往復運動させるように形成されている。
【００４０】
押込部材５４は、装着者の操作によって空間１０に押し込まれることにより、焼結金属部材４を押し込む。焼結金属部材４は、押し込まれることにより、後方にあるコイルばね６を圧縮変形させる。コイルばね６は、弾性エネルギを蓄勢し、押込部材５４の押し込みがなくなることにより、弾性エネルギによって焼結金属部材４を手前に押し戻す。焼結金属部材４は、この操作が繰り返されることにより、前後方向の往復運動を行う。収容部Ｓ内の空気は、焼結金属部材４の往復運動に応じて通気孔８５から放出される。なお、押込部材５４は、焼結金属部材４とともに押し戻されるが、空間１０の開口の突起８６に引っ掛け爪５４０が引っ掛かることにより、抜け出ることがないようにされている。また、押込部材５４は、可撓性があるため、引っ掛け爪５４０が突起８６が外れるように引っ張り操作されることにより、脱着可能である。
【００４１】
なお、上述した実施の形態１においては、空間１０を形成する内面１４が、平坦であり、且つ、鏡面可能が施されている一例を説明した。しかし、本発明は、これに限定されるものでなく、この内面１４に、全周に亘って不規則に、小さな突起を設けてもよい。その結果、焼結金属部材４は、この突起に接触して不規則な方向に規制されることにより、より激しく動き回り、収納部Ｓ内に空気を勢いよく攪拌する。
【符号の説明】
【００４２】
１  本体
１０  空間
１１  底面
１２  通気孔
１３  雌ねじ孔
１４  内面
１５  外面
１６  雄ねじ溝
１７  貫通孔
２  カバー
２０  装飾板
２１  雌ねじ溝
２２  通気孔
３  シールワッシャ
３０  突起片
４  焼結金属部材
５  支持棹
６  コイルばね
７  止め棒
８  クリップ
【図１】
2011217791.tif 000003
【図２】
2011217791.tif 000004
【図３】
2011217791.tif 000005
【図４】
2011217791.tif 000006
【図５】
2011217791.tif 000007
【図６】
2011217791.tif 000008